(57)【特許請求の範囲】
【請求項１】
遊技を行うために必要な遊技用装置を収納するために、天面、底面、両方の側面、及び、背面の各々に配置される天板、底板、一対の側板、及び、背板を備えた六面体の箱状に形成されるとともに、前面が開口された筐体と、この筐体の前面の開口を塞ぐ前扉と、遊技用装置に電力を供給するための電源回路を有する電源装置とが設けられている遊技機であって、
前記電源装置は、前記電源回路が内部に収納された収納ボックスと、前記電源回路及び前記遊技用装置の間の電気的接続を行うケーブルの端部に設けられたコネクタプラグを受けるために、前記収納ボックスの天面に露出して設けられているコネクタソケットとを備えたものとされ、
前記筐体の底板の上には、当該筐体の一方の側板及び背板のそれぞれに前記電源装置の収納ボックスの一方の側面及び背面を沿わせた状態で、当該電源装置が載置され、且つ、この電源装置の前記収納ボックスの他方の側面に近接させた状態で、遊技用装置である底板設置装置が載置され、
前記筐体の内部における前記電源装置の上方には、前記一対の側板の間に架け渡された架構支持板が設けられるとともに、この架構支持板の上に遊技用装置である架構設置装置が載置され、
前記収納ボックスの天面には、前記筐体の外部から進入してきた器具が、前記コネクタソケット及び前記コネクタプラグに接触不可能となるように、連結状態の前記コネクタソケット及び前記コネクタプラグを覆う保護カバーが設けられ、
この保護カバーは、前記収納ボックスの前面の上端縁から前記架構支持板まで延びる前面壁と、前記収納ボックスの前記底板設置装置側を向いた側面の上端縁から前記架構支持板まで延びる側面壁と、この側面壁の表面から前記底板設置装置側へ膨出する膨出部と、前記架構支持板との係合により、当該保護カバーを前記架構支持板に固定する係合弾性部とを備え、その前面壁及び側面壁の上端縁と前記架構支持板との当接により、上方向への垂直移動が規制され、その側面壁の膨出部と前記底板設置装置との当接により、前記底板設置装置に近づく方向への水平移動が規制されるように配置され、
前記保護カバーの前面壁及び側面壁は、前記収納ボックスの天面と、前記筐体側の一方の側板、背板及び架構支持板とともに、前記ケーブル、前記コネクタソケット及び前記コネクタプラグを収納する空間を囲い、
前記係合弾性部は、外力によって弾性変形して前記架構支持板との係合が解除可能とされ、係合が解除されると、当該保護カバーの前記架構支持板からの取り外しを可能にするものとなっていることを特徴とする遊技機。
【請求項２】
前記係合弾性部には、前記架構支持板に形成された係止孔に係止される係止爪が設けられていることを特徴とする請求項１記載の遊技機。
【請求項３】
前記筐体の前記電源装置が沿わされている内側面には、前記前扉を回動可能に支持するヒンジが突設され、
前記保護カバーの前面壁には、前記ヒンジとの機械的干渉を回避するために、表面から内側へ凹んだ逃げ部が設けられていることを特徴とする請求項２記載の遊技機。
【発明の詳細な説明】
【技術分野】
【０００１】
本発明は、内部に設けられている各装置に電力を供給する電源回路を含んで構成された電源装置を備えたパチンコ機やスロットマシン等の遊技機に関する。
【背景技術】
【０００２】
従来から、パチンコ機やスロットマシン等の遊技機は、遊技の進行に係る遊技動作を制御するために、ＣＰＵチップやＲＯＭ等の半導体素子を含んで構成された電子装置が設けられたものとなっている。また、遊技機には、遊技動作を制御するための電子装置に電力を供給するために電源装置が設けられている。
ここで、電源装置としては、一定電圧を維持した状態で電力を安定供給することができるように、電力制御用のスイッチング素子等の能動素子で出力電圧を一定に保つ電源回路と、この電源回路を収納するボックスとを備えたものが一般的である。
また、電源装置と、この電源装置から電力供給を受ける装置とは、ケーブルを介して電気的に接続されている。そして、ケーブルの着脱が容易に行えるように、ケーブルの端部には、コネクタプラグが端部に設けられるとともに、ボックスの表面には、ケーブルのコネクタプラグを受けるために、コネクタソケットが露出して設けられている。
【０００３】
上述の遊技機では、前述のケーブルを通じて、電力を供給するようになっているので、ケーブルを電源装置に接続するコネクタプラグ又はコネクタソケットの電極に導電性を有する金属片等を接触させ、当該電極を短絡したり接地させたりすることにより、当該遊技機を誤動作させることができる。
例えば、針金やピアノ線等の線条器具を遊技機の前扉の隙間から押し込んで遊技機の筐体内部に進入させて、コネクタソケット等の電極に接触させ、遊技球やメダルの払出を行う払出装置や、その制御装置である電子装置を誤動作させれば、入賞しなくとも遊技球やメダルを次々に遊技機に払い出させることができ、このような不正行為により、大量の遊技球やメダルを短時間に容易に得ることができる。
【０００４】
ここで、遊技機としては、コネクタプラグが連結された状態のコネクタソケットをコネクタプラグとともに、内部に収納することができる保護カバーを備えたスロットマシンが知られている。（特許文献１参照）。
このような保護カバーでコネクタプラグ及びコネクタソケットを覆えば、外部から筐体の内部に挿入された線条器具がコネクタプラグ又はコネクタソケットの電極に接触できなくなるので、前述の保護カバーで線条器具による遊技機の誤動作防止を図れば、前述の不正行為を有効に防止することができる。
【特許文献１】特開２００５−１６８９５０号公報（図８）
【発明の開示】
【発明が解決しようとする課題】
【０００５】
前述のような遊技機では、保護カバーの筐体への固定にネジ留めを採用してるので、保護カバーの取り付け、あるいは、取り外しの際に、ドライバー等の工具でネジを回転させる作業が必要となり、保護カバーの取付作業及び取外作業に時間がかかる。このため、取り付けにネジを用いることなく、保護カバーの取り付け、及び、取り外しが迅速に行えるようになる遊技機が要望されている。
そこで、各請求項にそれぞれ記載された各発明は、上記した従来の技術の有する問題点に鑑みてなされたものであり、その目的とするところは、保護カバーの取り付け、及び、取り外しが迅速に行える遊技機を提供することである。
【課題を解決するための手段】
【０００６】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、遊技を行うために必要な遊技用装置を収納するために、天面、底面、両方の側面、及び、背面の各々に配置される天板(41)、底板(42)、一対の側板(43)、及び、背板(44)を備えた六面体の箱状に形成されるとともに、前面が開口された筐体(２)と、この筐体(２)の前面の開口を塞ぐ前扉(３)と、遊技用装置に電力を供給するための電源回路を有する電源装置(９)とが設けられている遊技機(１)であって、前記電源装置(９)は、前記電源回路が内部に収納された収納ボックス(9A)と、前記電源回路及び前記遊技用装置の間の電気的接続を行うケーブルの端部に設けられたコネクタプラグを受けるために、前記収納ボックス(9A)の天面(9B)に露出して設けられているコネクタソケットとを備えたものとされ、前記筐体(２)の底板(42)の上には、当該筐体(２)の一方の側板(43)及び背板(44)のそれぞれに前記電源装置(９)の収納ボックス(9A)の一方の側面(9F)及び背面(9G)を沿わせた状態で、当該電源装置(９)が載置され、且つ、この電源装置(９)の前記収納ボックス(9A)の他方の側面(9F)に近接させた状態で、遊技用装置である底板設置装置(20)が載置され、前記筐体(２)の内部における前記電源装置(９)の上方には、前記一対の側板(43)の間に架け渡された架構支持板(45)が設けられるとともに、この架構支持板(45)の上に遊技用装置である架構設置装置(10)が載置され、前記収納ボックス(9A)の天面(9B)には、前記筐体(２)の外部から進入してきた器具が、前記コネクタソケット及び前記コネクタプラグに接触不可能となるように、連結状態の前記コネクタソケット及び前記コネクタプラグを覆う保護カバー(30)が設けられ、この保護カバー(30)は、前記収納ボックス(9A)の前面(9E)の上端縁から前記架構支持板(45)まで延びる前面壁(31)と、前記収納ボックス(9A)の前記底板設置装置(20)側を向いた側面(9F)の上端縁から前記架構支持板(45)まで延びる側面壁(32)と、この側面壁(32)の表面から前記底板設置装置(20)側へ膨出する膨出部(33)、前記架構支持板(45)との係合により、当該保護カバー(30)を前記架構支持板(45)に固定する係合弾性部(34,34B,34C)とを備え、その前面壁(31)及び側面壁(32)の上端縁と前記架構支持板(45)との当接により、上方向への垂直移動が規制され、その側面壁(32)の膨出部(33)と前記底板設置装置(20)との当接により、前記底板設置装置(20)に近づく方向への水平移動が規制されるように配置され、前記保護カバー(30)の前面壁(31)及び側面壁(32)は、前記収納ボックス(9A)の天面(9B)と、前記筐体(２)側の一方の側板(43)、背板(44)及び架構支持板(45)とともに、前記ケーブル、前記コネクタソケット及び前記コネクタプラグを収納する空間を囲い、前記係合弾性部(34,34B,34C)は、外力によって弾性変形して前記架構支持板(45)との係合が解除可能とされ、係合が解除されると、当該保護カバー(30)の前記架構支持板(45)からの取り外しを可能にするものとなっていることを特徴とするものである。
【０００７】
（請求項２）
（特徴点）
請求項２記載の発明は、前述した請求項１に記載の発明において、次の特徴点を備えているものである。
すなわち、請求項２に記載された発明は、前記係合弾性部(34,34B,34C)に、前記架構支持板(45)に形成された係止孔(45B) に係止される係止爪(34A)が設けられていることを特徴とする。
（請求項３）
（特徴点）
請求項３記載の発明は、前述した請求項２に記載の発明において、次の特徴点を備えているものである。
【０００８】
すなわち、請求項３に記載された発明は、前記筐体(２)の前記電源装置(９)が沿わされている内側面に、前記前扉(３)を回動可能に支持するヒンジ(2B)が突設され、前記ヒンジ(2B)との機械的干渉を回避するために、表面から内側へ凹んだ逃げ部(35)が前記保護カバー(30)の前面壁(31)に設けられていることを特徴とする。
【発明の効果】
【０００９】
（請求項１の効果）
以上のように構成されている本発明は、以下に記載されるような効果を奏する。
すなわち、請求項１記載の発明によれば、電源装置の収納ボックスの上に配置される保護カバーに、収納ボックスの前面の上端縁から架構支持板まで延びる前面壁と、収納ボックスの底板設置装置側を向いた側面の上端縁から架構支持板まで延びる側面壁とを設け、保護カバーの前面壁及び側面壁と、収納ボックスの天面と、筐体側の一方の側板、背板及び架構支持板とで空間を囲い、保護カバーの前面壁等で囲まれた空間に、ケーブル、コネクタソケット及びコネクタプラグを収納するようにしたので、保護カバーの前面壁及び側面壁が障壁となり、線条器具等が前面から筐体の内部に挿入されても、当該線条器具等は、保護カバーによって進路を阻まれ、コネクタプラグ又はコネクタソケットの電極に接触できなくなり、これにより、電極の短絡や接地により遊技機を誤動作させる不正行為を有効に防止することができる。
【００１０】
そして、保護カバーの前面壁及び側面壁として、その上方の架構支持板まで延びるものを採用したので、保護カバーを上方向へ移動させようとしても、前面壁及び側面壁が架構支持板に当接し、保護カバーは、上方向への垂直移動が規制される。
ここで、保護カバーの側面壁の幅寸法を収納ボックスの側面の幅寸法に応じて設定する、あるいは、保護カバーの前面壁に収納ボックスによって係止される係止部を設けることにより、保護カバーを遊技機の後方へ向かって水平移動させようとしても、側面壁の後端縁が背板への当接する、あるいは、係止部が収納ボックスに係止されることにより、保護カバーは、遊技機の後方へ向かう方向の水平移動が規制されるようになる。
【００１１】
また、保護カバーの前面壁の幅寸法を収納ボックスの前面の幅寸法に応じて設定する、あるいは、保護カバーの側面壁に収納ボックスによって係止される係止部を設けることにより、保護カバーを筐体の最寄りの側板に向かって水平移動させようとしても、側面壁の側端縁が筐体の側板に当接する、あるいは、係止部が収納ボックスに係止されることにより、保護カバーは、最寄りの側板側へ近づく方向の水平移動が規制されるようになる。
さらに、保護カバーの側面壁に、その表面から底板設置装置側へ膨出する膨出部を設けたので、保護カバーを底板設置装置側へ水平移動させようとしても、膨出部が底板設置装置に当接し、保護カバーは、底板設置装置側への水平移動が規制されるようになる。
【００１２】
以上により、保護カバーは、遊技機の筐体内部における所定位置に配置しただけで、遊技機の左右方向、上下方向、及び、後方への移動が規制され、ほぼ固定状態となる。
そして、保護カバーを架構支持板に固定する係合弾性部を当該保護カバーに設けたので、この係合弾性部により遊技機の前方向への水平移動を規制するようにすれば、これにより、保護カバーが筐体に固定されるようになる。
このため、保護カバーを電源装置の収納ボックスの上に配置し、且つ、係合弾性部を架構支持板に係合させるだけで、保護カバーが固定されるようになり、従って、保護カバーを迅速に取り付けることができる。
【００１３】
しかも、係合弾性部は、弾性変形させれば、架構支持板との係合が解除可能となっているので、弾性変形させて係合を解除することにより、保護カバーを筐体から迅速に取り外すことができ、以上により、前記目的が達成される。
（請求項２の効果）
請求項２記載の発明によれば、上記した請求項１記載の発明の効果に加え、次のような効果を奏する。
すなわち、請求項２記載の発明によれば、架構支持板に形成された係止孔に係止される係止爪を係合弾性部に設けたので、係止爪を架構支持板の下面に押しつけて係合弾性部を変形させれば、係止爪が係止孔に到達して係止されるまで、係合弾性部を変形させたままの状態で、保護カバーを架構支持板の下面に沿って任意に水平移動させることができ、係止爪が係止孔に到達すると、係止爪が係止孔に自動的に係止されるようになる。
【００１４】
これにより、電源装置に設けられている収納ボックスの天面よりも上方の高さレベルに保護カバーを配置するとともに、当該保護カバーの係合弾性部を弾性変形させた状態で、遊技機の前方から電源装置の上方に形成されている空間に向かって保護カバーを押し込めむことにより、係止爪が架構支持板の下面に押し付けられて、係合弾性部が弾性変形を維持した状態となり、保護カバーを電源装置の収納ボックス上方の所定位置まで容易に移動させることができ、しかも、保護カバーが所定位置に配置されると、係止爪が係止孔に自動的に係止されるので、この点からも、保護カバーを迅速に取り付けることができる。
（請求項３の効果）
請求項３記載の発明によれば、上記した請求項２記載の発明の効果に加え、次のような効果を奏する。
【００１５】
すなわち、請求項３記載の発明によれば、筐体の側板に突設されているヒンジを避ける逃げ部を保護カバーの前面壁に設けたので、保護カバーを電源装置の上方に設けても、前扉の開閉に何ら問題がなくなるうえ、保護カバーを遊技機の前方に引っ張って移動させようとしても、遊技機の前方向へ保護カバーが水平移動することをヒンジが規制するようになる。
このため、万が一、係止爪の係止孔による係止が何らかの手段で解除されたとしても、保護カバーが水平移動しないので、筐体の内部に挿入された線条器具で保護カバーを遊技機の前方に引っ張って移動させ、これにより、保護カバーの前面壁と、収納ボックスの前面と間に隙間を形成し、当該隙間を利用して不正行為を行おうとしても、このような不正行為の発生を未然に防止できる。
【００１６】
しかも、底板設置装置を遊技機の前方に引き出して、筐体の内部から取り出せば、保護カバーを電源装置の側方から所定の設置に接近させるこができ、これにより、保護カバーを迅速に取り付けることができる。
すなわち、底板設置装置を筐体の内部から取り出し、この状態で、収納ボックスの天面よりも上方の高さレベルに保護カバーを配置するとともに、保護カバーの係合弾性部を弾性変形させた状態で、電源装置の上方の空間に向かって保護カバーを押し込めば、係止爪が架構支持板の下面に押し付けられ、保護カバーを電源装置の収納ボックス上方の所定位置まで容易に移動することができ、しかも、保護カバーが所定位置に配置されると、係止爪が係止孔に自動的に係止される。従って、この点からも、保護カバーを迅速に取り付けることができる。
【発明を実施するための最良の形態】
【００１７】
以下に、本発明を実施するための最良の形態である一実施形態について、図面を参照しながら説明する。
（図面の説明）
図１〜図７は、本発明の一実施形態を示すものであり、図１は、本実施形態に係る遊技機であるスロットマシンの全体を示す正面図、図２は、本実施形態に係るスロットマシンの内部を示す正面図、図３は、本実施形態に係る筐体に設置された状態の電源装置を示す斜視図、図４は、本実施形態に係る電源装置及びその周辺に配置される部材を示す斜視図、図５は、本実施形態に係る電源装置及び保護カバーを示す斜視図、図６は、本実施形態に係る保護カバーを示す斜め上方から見た斜視図、図７は、本実施形態に係る保護カバーを示す斜め下方から見た斜視図である。
【００１８】
（スロットマシン１の概略構成）
図１において、本実施形態に係る遊技機としてのスロットマシン１は、三個の回転リール11の各々に記された複数種類の図柄が所定の組合せとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１９】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
（上部パネル部４）
上部パネル部４には、図１中、操作卓７の上方且つ幅方向の中央部分において長方形状に形成された表示窓4Aが設けられている。
【００２０】
ここで、筐体２内部に設けられた三個の回転リール11の各々は、その外周面に複数種類の図柄に記されている。そして、各回転リール11の図柄は、筐体２の外部から表示窓4Aを通して目視可能となっている。
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の両側縁には、上下方向に細長い帯状に形成された演出用照明装置4Cがそれぞれ設けられている。これらの演出用照明装置4Cの各々は、上部パネル部４の上端縁から当該上部パネル部４の側縁に沿って延び、表示窓4Aの上端縁よりも若干高い高さレベル位置まで達するものとなっている。
【００２１】
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等を光源を備え、遊技の進行に応じて、その光源の点灯又は点滅により、遊技における視覚的な演出効果を高めるものである。
【００２２】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
（操作卓７）
操作卓７は、遊技における操作に必要な各種のスイッチ類が配置されたものである。
すなわち、操作卓７における図１中右端の部分には、前扉３を施錠を解除するための鍵が挿入される鍵穴7Aが設けられている。この鍵穴7Aの左斜め上方には、メダルを投入するためのメダル投入口7Bが開口されたメダル投入部7Cが設けられている。
【００２３】
メダル投入口7Bの左斜め下方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
【００２４】
さらに、ベットスイッチ7Gの左斜め下方には、精算時に貯留されているメダルを払い出させる精算ボタン7Hが設けられている。
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２５】
（筐体２内蔵の遊技用装置）
次いで、筐体２の内部に設けられている遊技用装置について簡単に説明する。
筐体２の内部には、図２に示すように、スロットマシン１の遊技動作を制御するマイクロコンピュータからなるＣＰＵを備えた主制御基板2A、三個の回転リール11が回転自在に支持するとともに、これらの回転リール11のそれぞれを駆動する図示しないモータを備えたリールユニット10、内部に多数のメダルを貯留させる容器部21を備えるとともに受皿部6Aに向かってメダルを排出するホッパ装置20、スロットマシン１に備えられている各遊技用装置に電力を供給する電源装置９、及び、遊技の演出を行うための演出用装置（例えば、液晶表示装置4E）を制御するサブ制御基板2D等の遊技用装置が設けられている。
【００２６】
ここで、電源装置９の上方には、本発明に基づく保護カバー30が設けられている。この保護カバー30については、後程、詳しく説明する。
（筐体）
次に、筐体２について簡単に説明する。
筐体２は、図２及び図３に示すように、前面が開口されているとともに、天面、底面、両方の側面、及び、背面の各々に配置される天板41、底板42、一対の側板43、及び、背板44を備えた六面体の箱状に形成されたものである。
そして、筐体２には、その前面の開口を塞ぐための前扉３がヒンジ2Bを介して回動可能に取り付けられている。なお、前扉３は、上下に配置された二つヒンジ2Bによって回動可能に支持さているが、図２及び図３においては、下方のヒンジ2Bのみが示され、上方のヒンジ2Bは、図示が省略されている。
【００２７】
一対の側板43の各々には、スロットマシン１を運搬する際に手掛かりとなる把手孔43A が開口されている。そして、側板43の裏側面における把手孔43A に対応した部分には、箱状に形成されたハンドルケース43B が設けられている。この箱状に形成されたハンドルケース43B は、把手孔43A を側板43の裏側から塞ぐとともに、把手孔43A を手で把持する際に空間を、その内部空間で確保するものとなっている。
また、筐体２の内部における電源装置９の上方には、一対の側板の間に架け渡された架構支持板であるリール台座45が設けられている。このリール台座45の上面には、遊技用装置である架構設置装置、具体的にいうと、リールユニット10をスロットマシン１の前後方向に案内するガイドレール45A が切り起こしにより一体的に形成されている。
【００２８】
このガイドレール45A により、リール台座45は、リールユニット10をスロットマシン１の前後方向に沿ってリールユニット10を移動可能に支持するものとなっている。
ここで、リール台座45には、ガイドレール45A が切り起こされたことにより、細長いスリット状の係止孔45B が開口されている。
（電源装置９）
続いて、電源装置９について簡単に説明する。
電源装置９は、主制御基板2A、リールユニット10、ホッパ装置20、液晶表示装置4E及びサブ制御基板2D等の遊技用装置に安定して電力を供給する図示しない電源回路と、を備え、この電源回路を収納する収納ボックス9Aを有するものである。電源装置９の内部に設けられている図示しない電源回路と、リールユニット10、ホッパ装置20、液晶表示装置4E及びサブ制御基板2D等の遊技用装置とは、図示しない複数のケーブルで電気的に接続されるようになっている。そして、これらのケーブルの各端部には、接続が容易に行えるように、図示しないコネクタプラグがそれぞれ設けられている。
【００２９】
収納ボックス9Aは、図４に示すように、直方体の箱状に形成されたものである。
この収納ボックス9Aの天面9Bには、図４の如く、内部で加熱された空気を排出する多数のルーバー9Cと、前述の図示しないコネクタプラグを受ける図示しない複数のコネクタソケットと、これらのコネクタソケットをそれぞれ露出させる複数の開口部9Dとが設けらている。
また、収納ボックス9Aの天面9Bには、筐体２の最寄りの側板43に接する端縁、換言すると、図４中左側の端縁の沿って形成されているとともに、天面9Bから上方へ突出する鍔部12が設けられている。この鍔部12には、筐体２の最寄りの側板43に螺合させる図示しないネジを挿通させる挿通孔12A が設けられている。
【００３０】
さらに、収納ボックス9Aにおけるスロットマシン１の前方を向く前面9Eには、筐体２の底板42に接する端縁、換言すると、図４中下方の端縁の沿って形成されているとともに、前面9Eからスロットマシン１の前方へ突出する鍔部13が設けられている。この鍔部13には、底板42に螺合させる図示しないネジを挿通させる挿通孔13A が設けられている。
ここで、筐体２の底板42の上には、当該筐体２の一方の側板43、具体的には、図３中左方の側板43及び背板44のそれぞれに、収納ボックス9Aの一方の側面9F、具体的には、図３中左方の側面9F及び背面9Gを沿わせた状態で、電源装置９が載置されている。
また、筐体２の底板42の上には、更に詳しく言うと、収納ボックス9Aの図３中右方となる位置に、一対のガイドレール22が平行に敷設されている。これらのガイドレール22は、遊技用装置である底板設置装置、具体的にいうと、ホッパ装置20をスロットマシン１の前後に移動可能に支持するものとなっている。これにより、筐体２の底板42の上には、図２の如く、収納ボックス9Aの他方の側面9F、具体的にいうと、図２中右方の側面9Fに近接させた状態で、ホッパ装置20が載置されている。
【００３１】
以下に、本発明に基づく保護カバー30について詳しく説明する。
保護カバー30は、電源装置９の天面、すなわち、収納ボックス9Aの天面9Bの上に載置されて、筐体２の外部から進入してきた針状器具から前述のコネクタソケット及びコネクタプラグを保護するものである。換言すると、保護カバー30は、筐体２の内部に挿入された針状器具が前述した連結状態のコネクタソケット及びコネクタプラグに接触不可能となるように、連結状態のコネクタソケット及びコネクタプラグを覆って針状器具の前進を阻む障壁となるものである。
保護カバー30には、図２及び図３に示されるように、収納ボックス9Aの前面9Eの上端縁からリール台座45まで延びる前面壁31と、図２に示されるように、収納ボックス9Aのホッパ装置20側を向いた側面9Fの上端縁からリール台座45まで延びる側面壁32とが設けられている。
【００３２】
そして、保護カバー30の前面壁31及び側面壁32は、収納ボックス9Aの天面9Bと、筐体２側の図２中左方の側板43、背板44及びリール台座45とともに、前述のケーブル、コネクタソケット及びコネクタプラグを収納する空間を囲うものとなっている。
また、前述したように、リール台座45まで延びる前面壁31及び側面壁32を有する保護カバー30は、上方向へ移動させようとすると、前面壁31及び側面壁32の上端縁がリール台座45の下面に当接し、上方向への垂直移動が規制されるようになっている。
ここで、側面壁32には、図２の如く、その表面からホッパ装置20側へ膨出する膨出部33が設けられている。
【００３３】
このような膨出部33を有する保護カバー30は、ホッパ装置20に近づく方向へ移動させようとすると、膨出部33がホッパ装置20に当接し、ホッパ装置20に近づく方向への水平移動が規制されるようになっている。
また、側面壁32は、図３及び図４の如く、その幅寸法が収納ボックス9Aの側面9Fの幅寸法に応じて設定されたものとなっている。
そして、保護カバー30の前面壁31の下端縁には、収納ボックス9Aの前面9Eに係止される係止部31A が設けられている。
このような側面壁32及び係止部31A を有する保護カバー30は、スロットマシン１の後方へ向かって当該保護カバー30を水平移動させようとすると、側面壁32の後端縁が筐体２の背板44に当接する、又は、係止部31A が収納ボックス9Aの前面9Eに係止され、これにより、スロットマシン１の後方へ向かう方向の水平移動が規制されるようになっている。
【００３４】
一方、前面壁31は、その幅寸法が収納ボックス9Aの前面9Eの幅寸法に応じて設定されたものとなっている。
そして、保護カバー30の側面壁32には、収納ボックス9Aの側面9Fによって係止される係止部33A が設けられている。換言すると、膨出部33の下端縁は、収納ボックス9Aの図３中右方の側面9Fに係止される係止部33A となっている。
このような前面壁31及び係止部33A を有する保護カバー30は、筐体２の最寄りの側板43に向かって当該保護カバー30を水平移動させようとすると、前面壁31の側端縁が筐体２の側板43に当接する、又は、係止部33A が収納ボックス9Aの側面9Fに係止されることにより、最寄りの側板43側へ近づく方向の水平移動が規制されるようになっている。
【００３５】
この際、保護カバー30には、図４〜図６に示されるように、側面壁32の上端縁から筐体２の最寄りの側板43へ向かって延びる天井部32A が設けられている。この天井部32A は、電源装置９の上方を覆うように保護カバー30を設置すると、リール台座45の下面に沿うものとなっている。
このような天井部32A には、基端が天井部32A と一体に形成されるとともに、先端側の部分が天井部32A から分離されて弾性変形可能となった一対の係合弾性部34が設けられている。
係合弾性部34は、図４〜図６において、天井部32A の表面から斜め上方向に突き出たものであり、先端側が下方へ弾性変形可能となっている。また、係合弾性部34の先端には、リール台座45の係止孔45B に係止させる係止爪34A が設けられている。
【００３６】
そして、一対の係合弾性部34の設置間隔は、リール台座45側の細長いスリット状に形成された係止孔45B の長さ寸法に対応したものとなっている。
これにより、保護カバー30は、収納ボックス9Aの上に載置させるとともに、一対の係合弾性部34の先端に形成された係止爪34A をリール台座45側の係止孔45B に嵌め込んで係止させると、電源装置９の上の所定位置に固定されるようになっている。これにより、係合弾性部34は、リール台座45と係合することにより、保護カバー30をリール台座45に固定する部位となっている。
また、係合弾性部34は、外力によって弾性変形して、リール台座45との係合、換言すると、その先端に形成されている係止爪34A の係止孔45B による係止が解除可能となっている。そして、保護カバー30は、係合弾性部34の係合が解除されると、リール台座45からの取り外しが可能となっている。
【００３７】
そして、保護カバー30の前面壁31には、図５〜図７の如く、前扉３を回動可能に支持するヒンジ2Bとの機械的干渉を回避するために、その表面から内側へ凹んだ逃げ部35が設けられている。
また、保護カバー30の天井部32A の下方には、図６の如く、当該天井部32A を支持する複数の支持壁36が側面壁32と交差するように形成されている。これらの支持壁36のうち、図６中、左方から３番目及び４番目の支持壁36は、筐体２の側板43に開口された把手孔43A を内側から塞ぐハンドルケース43B （図５参照）に対応した位置に配置され、ハンドルケース43B を受けるための段付部36A が形成されたものとなっている。保護カバー30は、段付部36A によっても上方への垂直移動が規制されるようになっている。
【００３８】
さらに、保護カバー30に設けられている前面壁31の係止部31A の近傍には、図７の如く、前面壁31の内側面から内側へ突出する複数のリブ37が設けられている。これらのリブ37は、収納ボックス9Aの天面9Bに当接させるものである。
保護カバー30は、リブ37を収納ボックス9Aの天面9Bに当接させることにより、所定の高さレベルに配置されるようになっている。
前述のような本実施形態によれば、次のような効果が得られる。
すなわち、電源装置９の収納ボックス9Aの上に配置される保護カバー30に、収納ボックス9Aの前面9Eの上端縁からリール台座45まで延びる前面壁31と、収納ボックス9Aのホッパ装置20側を向いた側面9Fの上端縁からリール台座45まで延びる側面壁32とを設け、保護カバー30の前面壁31及び側面壁32と、収納ボックス9Aの天面9Bと、筐体２側の一方の側板43、背板44及びリール台座45とで空間を囲い、保護カバー30の前面壁31等で囲まれた空間に、電力を送るための図示しないケーブル、コネクタソケット及びコネクタプラグを収納するようにしたので、保護カバー30の前面壁31及び側面壁32が障壁となり、線条器具等が前面から筐体２の内部に挿入されても、当該線条器具等は、保護カバー30によって進路を阻まれ、コネクタプラグ又はコネクタソケットの電極に接触できなくなり、これにより、電極の短絡や接地によりスロットマシン１を誤動作させる不正行為を有効に防止することができる。
【００３９】
そして、保護カバー30の前面壁31及び側面壁32として、その上方のリール台座45まで延びるものを採用したので、保護カバー30を上方向へ移動させようとしても、前面壁31及び側面壁32がリール台座45に当接し、保護カバー30は、上方向への垂直移動が規制されるようになる。
ここで、保護カバー30の側面壁32の幅寸法を収納ボックス9Aの側面9Fの幅寸法に応じて設定するとともに、保護カバー30の前面壁31に収納ボックス9Aの前面9Eに係止される係止部31A を設けたので、保護カバー30をスロットマシン１の後方へ向かって水平移動させようとしても、側面壁32の後端縁が背板44に当接する、あるいは、係止部31A が収納ボックス9Aに係止され、これにより、保護カバー30は、スロットマシン１の後方へ向かう方向の水平移動を規制されるようになる。
【００４０】
また、保護カバー30の前面壁31の幅寸法を収納ボックス9Aの前面9Eの幅寸法に応じて設定するとともに、保護カバー30の側面壁32に収納ボックス9Aの側面9Fに係止される係止部33A を設けたので、保護カバー30を筐体２の最寄りの側板43に向かって水平移動させようとしても、側面壁32の側端縁が筐体２の側板43に当接する、あるいは、係止部33A が収納ボックス9Aの側面9Fに係止され、これにより、保護カバー30は、最寄りの側板43側へ近づく方向の水平移動が規制されるようになる。
さらに、保護カバー30の側面壁32に、その表面からホッパ装置20側へ膨出する膨出部33を設けたので、保護カバー30をホッパ装置20側へ水平移動させようとしても、膨出部33がホッパ装置20に当接し、保護カバー30は、ホッパ装置20側への水平移動が規制されるようになる。
【００４１】
以上により、保護カバー30は、スロットマシン１の筐体２内部における所定位置に配置しただけで、スロットマシン１の左右方向、上下方向、及び、後方への移動が規制され、ほぼ固定状態となる。
そして、リール台座45との係合により、保護カバー30をリール台座45に固定する係合弾性部34を当該保護カバー30に設け、この係合弾性部34によりスロットマシン１の前方向への水平移動も規制されするようにしたので、これにより、保護カバー30が筐体２に固定することができる。
このため、保護カバー30を電源装置９の収納ボックス9Aの上に配置するとともに、係合弾性部34をリール台座45に係合させるだけで、保護カバー30を固定できるようになり、従って、保護カバー30を迅速に取り付けることができるうえ、係合弾性部34は、弾性変形させることにより、リール台座45との係合が容易に解除可能となっているので、係合弾性部34を弾性変形させてリール台座45との係合を解除するが容易に行え、従って、保護カバー30を筐体２から迅速に取り外すことができる。
【００４２】
また、リール台座45に形成された係止孔45B に係止される係止爪34A を係合弾性部34に設けたので、係止爪34A をリール台座45の下面に押し付けて係合弾性部34を変形させれば、係止爪34A が係止孔45B に到達して係止されるまで、係合弾性部34を変形させたままの状態で、保護カバー30をリール台座45の下面に沿って任意に水平移動させることができ、しかも、係止爪34A が係止孔45B に到達すると、係止爪34A が係止孔45B に自動的に係止されるようになる。
従って、予めホッパ装置20を筐体２から取り外しておき、電源装置９に設けられている収納ボックス9Aの天面9Bよりも上方の高さレベルに保護カバー30を配置するとともに、当該保護カバー30の係合弾性部34を弾性変形させた状態で、ホッパ装置20側から電源装置９の上方に形成されている空間に向かって保護カバー30を押し込めむことにより、係止爪34A をリール台座45の下面に押し付ければ、係合弾性部34の弾性変形を維持したまま、保護カバー30を電源装置９の収納ボックス9A上方の所定位置まで容易に移動させることができ、しかも、保護カバー30が所定位置に配置されると、係止爪34A が係止孔45B に自動的に係止されるので、この点からも、保護カバー30を迅速に取り付けることができる。
【００４３】
さらに、筐体２の側板43に突設されているヒンジ2Bを避ける逃げ部35を保護カバー30の前面壁31に設けたので、保護カバー30を電源装置９の上方に設けても、前扉３の開閉に何ら問題がなくなるうえ、保護カバー30をスロットマシン１の前方に引っ張って移動させようとしても、スロットマシン１の前方向へ保護カバー30が水平移動することをヒンジ2Bが規制するようになる。
このため、万が一、係止爪34A の係止孔45B による係止が何らかの手段で解除されたとしても、保護カバー30をスロットマシン１の前方向へ水平移動することができないので、筐体２の内部に挿入された線条器具で保護カバー30をスロットマシン１の前方に引っ張って移動させ、これにより、保護カバー30の前面壁31と、収納ボックス9Aの前面9Eと間に隙間を形成し、当該隙間を利用して不正行為を行おうとしても、このような不正行為の発生を未然に防止できる。
【００４４】
なお、本発明は、前記実施形態に限定されるものではなく、本発明の目的を達成できる範囲における変形及び改良などをも含むものである。
例えば、前記実施形態では、係合弾性部として、保護カバー30の天井部32A の表面から斜め上方向に突き出た係合弾性部34を採用したが、これに限らず、図８に示すように、保護カバー30の天井部32A の表面からほぼ垂直に突出する係合弾性部34B でもよい。
また、係合弾性部としては、リール台座45等に設けた係止孔45B の下方から挿入される係止爪34A を備えた係合弾性部34,34Bに限らず、図９に示すように、係止孔45B の上方から挿入される係止爪34A を備えた係合弾性部34C でもよい。
【００４５】
このような係合弾性部34C を採用する場合、保護カバー30の前面壁31を上方へ延長し、保護カバー30を設置すると、リール台座45の上面よりも高い位置に係合弾性部34C が配置されるようにするのが好ましい。このようにすれば、係合弾性部34C が保護カバー30の側面壁32との間にリール台座45の前端縁部分を挟持するようになり、保護カバー30を垂直移動させること、及び、遊技機の後方へ保護カバー30を水平移動させることの両方を規制することができるようになる。
さらに、遊技機としては、スロットマシンに限らず、遊技場やゲームセンター等に設置されるテレビゲーム等でもよく、本発明は、電源装置に対する不正行為が行われるおそれのある遊技機全般に適用することができる。
【図面の簡単な説明】
【００４６】
【図１】本発明の一実施形態に係る遊技機であるスロットマシンの全体を示す正面図である。
【図２】前記実施形態に係るスロットマシンの内部を示す正面図である。
【図３】前記本実施形態に係る筐体に設置された状態の電源装置を示す斜視図である。
【図４】前記実施形態に係る電源装置及び保護カバーを示す斜視図である。
【図５】前記実施形態に係る電源装置及びその周辺に配置される部材を示す斜視図である。
【図６】前記実施形態に係る保護カバーを示す斜め上方から見た斜視図である。
【図７】前記実施形態に係る保護カバーを示す斜め下方から見た斜視図である。
【図８】本発明の変形例を示す斜視図である。
【図９】本発明の異なる変形例を示す斜視図である。
【符号の説明】
【００４７】
１          遊技機としてのスロットマシン
２          筐体
2B          ヒンジ
３          前扉
９          電源装置
9A          収納ボックス
9B          天面
9E          前面
9F          側面
9G          背面
10          架構設置装置としてのリールユニット
20          底板設置装置としてのホッパ装置
30          保護カバー
31          前面壁
32          側面壁
33          膨出部
34,34B,34C  係合弾性部
34A         係止爪
35          逃げ部
41          天板
42          底板
43          側板
44          背板
45          架構支持板としてのリール台座
45B         係止孔
【図１】
0005078084.tif 000002
【図２】
0005078084.tif 000003
【図３】
0005078084.tif 000004
【図４】
0005078084.tif 000005
【図５】
0005078084.tif 000006
【図６】
0005078084.tif 000007
【図７】
0005078084.tif 000008
【図８】
0005078084.tif 000009
【図９】
0005078084.tif 000010